(57)【要約】【課題】ＯＡＭサービスが提供される通信インタフェースのグループにおいて中間点として動作する通信インタフェースの設定における保守性を向上できる通信装置を提供する。【解決手段】第１の通信インタフェース手段と、ＯＡＭサービスが提供される通信インタフェースの第１の端点及び第２の端点を含む第１のグループの第１の識別情報の発生を監視し、第１の通信インタフェース手段が第１の端点と第２の端点との間の通信経路上にあるとき、第１の通信インタフェース手段に第１の識別情報を対応付ける設定手段とを備える。【選択図】      図１
2015088958.tif 000002
【特許請求の範囲】
【請求項１】
第１の通信インタフェース手段と、
ＯＡＭ（Operation, Administration and Maintenance）サービスが提供される通信インタフェースの第１の端点及び第２の端点を含む第１のグループの第１の識別情報の発生を監視し、前記第１の通信インタフェース手段が前記第１の端点と前記第２の端点との間の通信経路上にあるとき、前記第１の通信インタフェース手段に前記第１の識別情報を対応付ける設定手段と、
を備えることを特徴とする通信装置。
【請求項２】
前記端点である通信インタフェース手段は、ＯＡＭフレームを生成又は終端し、
前記中間点である通信インタフェース手段は、ＯＡＭフレームを生成せず、一部のＯＡＭフレームに反応し、一部のＯＡＭフレームを中継する
ことを特徴とする請求項１に記載の通信装置。
【請求項３】
第２の通信インタフェース手段を更に備え、
前記設定手段は、前記第２の通信インタフェース手段に関する前記第１の端点としての第１の設定の有無を監視し、前記第１の設定が存在し、且つ前記第１の通信インタフェース手段及び前記第２の通信インタフェース手段が同じ通信経路の識別情報に対応付けられるとき、前記第１の通信インタフェース手段を前記第１のグループの中間点として設定する
ことを特徴とする請求項１又は２に記載の通信装置。
【請求項４】
前記通信経路の識別情報は、ＶＬＡＮ（Virtual Local Area Network）グループの識別子である
ことを特徴とする請求項３に記載の通信装置。
【請求項５】
前記設定手段は、前記第１の通信インタフェース手段におけるＯＡＭ応答の受信を監視し、前記ＯＡＭ応答に前記第１のグループの識別情報が含まれるとき、前記第１の通信インタフェース手段を前記第１のグループの中間点として設定する
ことを特徴とする請求項１又は２に記載の通信装置。
【請求項６】
第１の通信データを送信する第１の通信装置と、
前記第１の通信データを受信する第１の通信インタフェース、
ＯＡＭサービスが提供される通信インタフェースの第１の端点及び第２の端点を含む第１のグループの第１の識別情報の発生を監視し、前記第１の通信インタフェースが前記第１の端点と前記第２の端点との間の通信経路上にあるとき、前記第１の通信インタフェースに前記第１の識別情報を対応付ける設定手段
を含む第３の通信装置と、
を備えることを特徴とする通信システム。
【請求項７】
第１の通信データを送信する第１の通信装置と、
前記第１の通信データを受信する第１の通信インタフェース、及び
設定情報を受信し、ＯＡＭサービスが提供される通信インタフェースの第１の端点及び第２の端点を含む第１のグループの第１の識別情報に対応付けられた前記第１の通信インタフェースを前記第１のグループの中間点として動作させる処理手段
を含む第２の通信装置と、
前記第１の識別情報の発生を監視し、前記第１の通信インタフェースが前記第１の端点と前記第２の端点との間の通信経路上にあるとき、前記第１の通信インタフェースに前記第１の識別情報を対応付ける前記設定情報を送信する設定手段、
を含む第３の通信装置と、
を備えることを特徴とする通信システム。
【請求項８】
ＯＡＭサービスが提供される通信インタフェースの第１の端点及び第２の端点を含む第１のグループの第１の識別情報の発生を監視し、
第１の通信インタフェースが前記第１の端点と前記第２の端点との間の通信経路上にあるとき、前記第１の通信インタフェースに前記第１の識別情報を対応付ける
ことを特徴とする通信方法。
【請求項９】
第１の通信インタフェースを備えた通信装置の備えるコンピュータを、
ＯＡＭサービスが提供される通信インタフェースの第１の端点及び第２の端点を含む第１のグループの第１の識別情報の発生を監視する監視手段と、
前記第１の通信インタフェースが前記第１の端点と前記第２の端点との間の通信経路上にあるとき、前記第１の通信インタフェースに前記第１の識別情報を対応付ける設定手段と、
して機能させるための通信プログラム。
【発明の詳細な説明】
【技術分野】
【０００１】
本発明は、通信インタフェースに対するＯＡＭ機能に関する設定を自動化する、通信装置、通信システム、通信方法、及び通信プログラムに関する。
【背景技術】
【０００２】
ＯＡＭ（Operation, Administration and Maintenance）とは、ネットワークの運用・管理・保守を行うための機能である。ＯＡＭ機能を提供するための方式として、各種のプロトコル（以下、「ＯＡＭプロトコル」という。）が規定されている。例えば、イーサネット（Ｅｔｈｅｒｎｅｔ、登録商標）のＯＡＭのために利用されるＯＡＭプロトコルには、ＳＮＭＰ（Simple Network Management Protocol）、Ｅｔｈｅｒｎｅｔ−ＯＡＭ等がある。
【０００３】
Ｅｔｈｅｒｎｅｔ−ＯＡＭは、イーサネット等のレイヤ２技術を用いたネットワークにおける、ＯＡＭ機能を提供するための方式である。Ｅｔｈｅｒｎｅｔ−ＯＡＭは、ＩＴＵ−Ｔ（International Telecommunication Union Telecommunication Standardization Sector）におけるＹ．１７３１、又はＩＥＥＥ（Institute of Electrical and Electronics Engineers）における８０２．１ａｇとして標準化されている。
【０００４】
Ｅｔｈｅｒｎｅｔ−ＯＡＭでは、ネットワーク上の２つの管理対象間の関係をＭＥ（Maintenance Entity）という。ＭＥのグループをＭＥＧ（Maintenance Entity Group）又はＭＡ（Maintenance Association）という。１つのＭＥＧ内の各ＭＥは、同じＭＥＧレベル（保守レベル）を有する。ＭＥＧレベルは、最大８つまで定義される。ＭＥは、異なるＭＥＧレベル間で階層的に定義され得る。
【０００５】
ＭＥＧは、Ｅｔｈｅｒｎｅｔ−ＯＡＭ用のイーサネットフレームにおいて、ＭＥＧ識別子（ＭＥＧ  ＩＤ（Identifier））を用いて識別される。以下、ＯＡＭのサービスを提供するために用いられるフレーム又はパケットを「ＯＡＭフレーム」という。
【０００６】
あるＭＥＧにおいて、１つのＭＥには、複数の端点（管理端点、ＭＥＰ：MEG End Point）が含まれ、更に中間点（管理中間点、ＭＩＰ：MEG Intermediate Point）が含まれることがある。１つのＭＥＰ又はＭＩＰは、互いに異なるＭＥＧレベルを持つ複数のＭＥＧに属してもよい。ＭＥＰは、ＯＡＭフレームを生成又は終端する。ＭＩＰは、ＯＡＭフレームを生成せず、一部のＯＡＭフレームに反応し、一部のＯＡＭフレームを中継する。
【０００７】
Ｅｔｈｅｒｎｅｔ−ＯＡＭの主な機能には、接続性監視（ＣＣ：Continuity Check）、ループバック（ＬＢ：LoopBack）、リンクトレース（ＬＴ：Link Trace）の３つがある。
【０００８】
ＣＣは、ＭＥＰ間の接続性を確認する機能である。ＣＣでは、送信側のＭＥＰはＯＡＭフレームであるＣＣＭ（CC Meaage）フレームを定期的に送信する。
【０００９】
ＬＢは、通信経路の正常性を確認する機能である。ＬＢでは、まず、送信側のＭＥＰは、ＯＡＭフレームであるＬＢＭ（LB Meaage）フレームを送信する。次に、ＬＢＭフレームの宛先であるＭＩＰ又はＭＥＰは、ＯＡＭフレームであるＬＢＲ（LB Reply）フレームを折り返し送信する。
【００１０】
ＬＴは、管理対象の隣接関係を取得したり、故障した管理対象を特定したりする機能である。ＬＴでは、まず、送信側のＭＥＰは、ＴＴＬ（Time to Live）を指定して、ＯＡＭフレームであるＬＴＭ（LT Meaage）フレームを送信する。次に、ＬＴＭフレームを受信したＭＩＰ又はＭＥＰは、ＴＴＬが“０”でなければＯＡＭフレームであるＬＴＲ（LT Reply）フレームを折り返し送信する。そして、ＬＴＭフレームを受信したＭＩＰは、ＬＴＭフレームのＴＴＬの値が“０”ならばＬＴＭフレームを破棄し、ＬＴＭフレームのＴＴＬが０でなければＴＴＬの値から“１”だけ減じて、ＬＴＭフレームを転送する。
【００１１】
Ｅｔｈｅｒｎｅｔ−ＯＡＭを利用してイーサネット上の監視対象装置を監視するためには、予めネットワーク上の各監視対象装置に対してＥｔｈｅｒｎｅｔ−ＯＡＭに関する設定を行う必要がある。監視対象が多くなると、設定に掛かる手間が増える上に、設定ミスが発生する可能性も高まる。このような設定作業における問題を解決することは、ネットワークの保守性を向上させるために重要である。Ｅｔｈｅｒｎｅｔ−ＯＡＭに関する主な設定は、ＭＥＰ及びＭＩＰへの各種パラメータの設定である。
【００１２】
ＭＥＰの設定情報は、ＭＥＧ識別子、ＭＥＧレベル、ＭＥＰ識別子、対向ＭＥＰ識別子、ＯＡＭフレーム送信先のＭＡＣアドレス、優先度、廃棄適格性、ＣＣＭ送信周期等を含む。
【００１３】
ＭＩＰの設定情報は、ＭＥＧレベルを含む。
【００１４】
Ｅｔｈｅｒｎｅｔ−ＯＡＭにおけるＭＥＰの設定を自動化する技術の一例が、特許文献１に開示されている。
【００１５】
特許文献１の通信装置は、受信フレームがＥｔｈｅｒｎｅｔ−ＯＡＭフレームであり、受信フレームのＭＥＧレベルが所定のＭＥＧレベル閾値以下であり、受信フレームの宛先が自装置である場合、以下のＣＣＭフレーム処理を実行する。
【００１６】
初めに、通信装置は、受信フレームのＶＩＤ（Virtual Local Area Network Identifier）が登録済みでない場合、自装置をＭＥＰとして仮に設定する仮登録処理を実行し、本受信フレームの処理を終了する。
【００１７】
仮登録処理では、通信装置は、ＶＬＡＮテーブルに受信フレームのＶＩＤとエントリ番号とを対応付けて登録し、自ＭＥＰテーブルに受信フレーム（ＣＣＭフレーム）に含まれるＭＥＰ設定情報（自ＭＥＰ設定情報）とエントリ番号とを対応付けて登録する。
【００１８】
次に、通信装置は、受信フレームのＶＩＤが登録済みである場合、ＶＬＡＮテーブルから、受信フレームのＶＩＤと対応付けられたエントリ番号を取得する。
【００１９】
又、通信装置は、自ＭＥＰテーブルから、取得されたエントリ番号と対応付けられている自ＭＥＰ設定情報に含まれるＭＥＧレベルを取得する。
【００２０】
そして、通信装置は、受信フレームに含まれるＭＥＧレベルと取得された自ＭＥＰのＭＥＧレベルとが一致しているか否かを判定する。
【００２１】
通信装置は、受信フレームのＭＥＧレベルと自ＭＥＰのＭＥＧレベルとが一致していない場合、又は自ＭＥＰテーブルから取得されたエントリ番号と対応付けられている自ＭＥＰ設定情報が存在しない場合、仮登録処理を実行する。
【００２２】
通信装置は、受信フレームのＭＥＧレベルと自ＭＥＰのＭＥＧレベルとが一致している場合、自ＭＥＰテーブルから、取得されたエントリ番号と対応付けられている自ＭＥＰ設定情報に含まれるＭＥＰ  ＩＤを取得する。
【００２３】
最後に、通信装置は、受信フレームに含まれるＭＥＰ  ＩＤと取得された自ＭＥＰのＭＥＰ  ＩＤとが一致している場合、ＭＥＰとしてＣＣＭフレーム受信処理を実行し、本受信フレームの処理を終了する。
【００２４】
上記の動作の結果、特許文献１の通信装置は、Ｅｔｈｅｒｎｅｔ−ＯＡＭにおけるＭＥＰの設定を自動化する。
【００２５】
尚、以降の説明に用いる用語を以下のように定義する。
【００２６】
ＯＡＭのサービス（ＯＡＭサービス）が提供される通信インタフェースのグループを「ＯＡＭグループ」という。
【００２７】
ＯＡＭグループを識別するための情報を「ＯＡＭグループ識別情報」という。
【００２８】
ＯＡＭグループの端点である通信インタフェースを「ＯＡＭ端点」といい、ＯＡＭグループの中間点である通信インタフェースを「ＯＡＭ中間点」という。つまり、ＯＡＭグループは、複数のＯＡＭ端点を含み、更にＯＡＭ中間点を含むこともある。
【００２９】
ＯＡＭ端点、ＯＡＭ中間点の動作に必要な設定情報を、それぞれ、「ＯＡＭ端点設定情報」、「ＯＡＭ中間点設定情報」という。ＯＡＭ端点設定情報及びＯＡＭ中間点設定情報は、ＯＡＭグループ識別情報を含む。ＯＡＭ端点設定情報は、ＯＡＭ中間点設定情報に含まれない情報を含み、ＯＡＭ中間点設定情報から区別される。
【００３０】
「ＯＡＭ設定情報」は、特定の通信インタフェース及び特定のＯＡＭグループ毎の、ＯＡＭ端点設定情報又はＯＡＭ中間点設定情報に関する情報である。ＯＡＭ設定情報は、ＯＡＭ端点設定情報の有無又はＯＡＭ中間点設定情報の有無を含む。更に、ＯＡＭ設定情報は、ＯＡＭ端点設定情報が有る場合はＯＡＭ端点設定情報を、ＯＡＭ中間点設定情報が有る場合はＯＡＭ中間点設定情報も含む。特定の通信インタフェースは、特定のＯＡＭグループに関し、ＯＡＭ端点設定情報に対応付けられるか、ＯＡＭ中間点設定情報に対応付けられるか、又はＯＡＭ端点設定情報及びＯＡＭ中間点設定情報のいずれにも対応付けられないか、のいずれかの状態を有する。
【００３１】
ＯＡＭ端点から受信したＯＡＭフレームに対する応答として送信元のＯＡＭ端点へ向けて送信されるＯＡＭフレームを「ＯＡＭ応答フレーム」という。
【先行技術文献】
【特許文献】
【００３２】
【特許文献１】特開２０１３−１２８２０３号公報（第１１−１５ページ、図６−８）
【発明の概要】
【発明が解決しようとする課題】
【００３３】
ＭＥＰによるイーサネット上の通信装置の監視においては、ＭＥＰ間の経路の途中で故障が発生した際に、故障区間の特定ができないという問題がある。そのため、ネットワークの保守性を向上させるためには、ＭＥＰによる監視のみならず、故障区間の特定ができるＭＩＰによる監視も必要である。従って、ネットワークの保守性を更に向上させるためには、ＭＩＰの設定が自動化されることが望ましい。
【００３４】
ところが、特許文献１の技術には、Ｅｔｈｅｒｎｅｔ−ＯＡＭにおけるＭＥＰの設定が自動化されるが、ＭＩＰの設定が自動化されないという問題がある。
（発明の目的）
本発明の目的は、ＯＡＭサービスが提供される通信インタフェースのグループにおいて中間点として動作する通信インタフェースの設定における保守性を向上できる、通信装置、通信システム、通信方法、及び通信プログラムを提供することにある。
【課題を解決するための手段】
【００３５】
本発明の通信装置は、第１の通信インタフェース手段と、ＯＡＭサービスが提供される通信インタフェースの第１の端点及び第２の端点を含む第１のグループの第１の識別情報の発生を監視し、第１の通信インタフェース手段が第１の端点と第２の端点との間の通信経路上にあるとき、第１の通信インタフェース手段に第１の識別情報を対応付ける設定手段と、を備えることを特徴とする。
【００３６】
本発明の通信システムは、第１の通信データを送信する第１の通信装置と、第１の通信データを受信する第１の通信インタフェース、及びＯＡＭサービスが提供される通信インタフェースの第１の端点及び第２の端点を含む第１のグループの第１の識別情報の発生を監視し、第１の通信インタフェースが第１の端点と第２の端点との間の通信経路上にあるとき、第１の通信インタフェースに第１の識別情報を対応付ける設定手段を含む第３の通信装置と、を備えることを特徴とする。
【００３７】
本発明の通信方法は、ＯＡＭサービスが提供される通信インタフェースの第１の端点及び第２の端点を含む第１のグループの第１の識別情報の発生を監視し、第１の通信インタフェースが第１の端点と第２の端点との間の通信経路上にあるとき、第１の通信インタフェースに第１の識別情報を対応付けることを特徴とする。
【００３８】
本発明の通信プログラムは、第１の通信インタフェースを備えた通信装置の備えるコンピュータを、ＯＡＭサービスが提供される通信インタフェースの第１の端点及び第２の端点を含む第１のグループの第１の識別情報の発生を監視する監視手段と、第１の通信インタフェースが第１の端点と第２の端点との間の通信経路上にあるとき、第１の通信インタフェースに第１の識別情報を対応付ける設定手段として機能させることを特徴とする。
【発明の効果】
【００３９】
本発明によれば、ＯＡＭサービスが提供される通信インタフェースのグループにおいて中間点として動作する通信インタフェースの設定における保守性を向上できるという効果がある。
【図面の簡単な説明】
【００４０】
【図１】本発明の第１の実施形態における通信装置の構成の一例を示すブロック図である。
【図２】本発明の第１の実施形態における通信装置のハードウェア構成の一例を示すブロック図である。
【図３】本発明の第１の実施形態における通信装置の中間点設定手段の動作を示すフローチャートである。
【図４】本発明の第１の実施形態における通信装置の処理手順の具体例を説明するためのシーケンス図である。
【図５】本発明の第２の実施形態における通信装置の構成の一例を示すブロック図である。
【図６】本発明の第２の実施形態における通信装置のＭＩＰ設定手段の動作を示すフローチャートである。
【図７】本発明の第２の実施形態における通信装置の処理手順の具体例を説明するためのシーケンス図である。
【図８】本発明の第３の実施形態における通信装置の構成の一例を示すブロック図である。
【図９】本発明の第３の実施形態における通信装置のＭＩＰ設定手段の動作を示すフローチャートである。
【図１０】本発明の第３の実施形態における通信装置の処理手順の具体例を説明するためのシーケンス図である。
【図１１】本発明の第４の実施形態における通信装置の構成の一例を示すブロック図である。
【図１２】本発明の第５の実施形態における通信装置の構成の一例を示すブロック図である。
【発明を実施するための形態】
【００４１】
以下、本発明の実施形態について図面を参照して詳細に説明する。尚、すべての図面において、同等の構成要素には同じ符号を付し、適宜説明を省略する。
（第１の実施形態）
図１は、本実施形態における通信装置１００の構成の一例を示すブロック図である。
【００４２】
まず、本実施形態における通信装置１００を含む通信システムについて説明する。通信システムは、通信装置２００と、通信装置１００とを含む。通信装置１００と通信装置２００の間は、通信回線９２０により接続される。
【００４３】
通信装置１００、２００は、例えば、スイッチ、ルータ、コンピュータ等の通信機器である。
【００４４】
通信装置２００は、通信インタフェース２２０を含む。通信インタフェース２２０は、通信回線９２０を経由して通信装置１００と通信を行う。
【００４５】
通信装置１００は、通信インタフェース１３０と、中間点設定手段１１０とを含む。
【００４６】
通信インタフェース１３０は、通信回線９２０を経由して通信装置２００と通信を行う。
【００４７】
通信装置１００は、通信インタフェース１３０等の接続先の通信インタフェースを識別する情報（接続先情報）を保持（例えば、ＭＡＣアドレステーブルとして保持）し、フレーム等の交換を行う。例えば、通信装置１００は、通信インタフェース１３０に対応付けて、接続先である通信インタフェース２２０の識別情報（例えば、ＭＡＣアドレス）を保持する。通信装置１００は、更に、中間点設定手段１１０、通信インタフェース１３０等の間で、指示等（指示や指示に対する応答）又はデータ（送受信フレーム等）の交換を行う。
【００４８】
通信装置１００の中間点設定手段１１０は、通信インタフェース１３０等のＯＡＭ設定情報を保持する。
【００４９】
中間点設定手段１１０は、通信インタフェース１３０等の接続先情報を通信装置１００から取得する。接続先情報は、例えば、通信インタフェース２２０が通信インタフェース１３０の接続先であることである。中間点設定手段１１０は、取得した接続先情報に基づいて、通信インタフェース１３０、２２０等の間の接続関係を保持する。中間点設定手段１１０は、例えば、通信インタフェース２２０及び通信装置１００に含まれる別の通信インタフェース（図示されない）が、通信インタフェース１３０を介して接続されていることを保持する。なぜなら、例えば、通信インタフェース２２０は通信インタフェース１３０に直接接続され、通信インタフェース１３０は別の通信インタフェースに通信装置１００を介して接続されるからである。
【００５０】
中間点設定手段１１０は、通信装置１００内における新たなＯＡＭグループ識別情報の発生を監視する。新たなＯＡＭグループ識別情報の発生とは、例えば、ネットワーク管理者による新たなＯＡＭグループ識別情報を含むＯＡＭ端点設定情報の追加や、新たなＯＡＭグループ識別情報を含むＯＡＭフレームの受信である。中間点設定手段１１０は、新たなＯＡＭグループ識別情報の発生を検出すると、検出したＯＡＭグループ識別情報に対応するＯＡＭグループに関し、特定の通信インタフェース（例えば、通信インタフェース１３０）がＯＡＭ端点設定情報若しくはＯＡＭ中間点設定情報のいずれにも対応付けられず、且つ通信インタフェース（例えば、通信インタフェース１３０）がＯＡＭ端点（例えば、通信インタフェース２２０及び通信装置１００が有する別の通信インタフェース（図示されない））の通信経路上にあるか否かを判定する。特定の通信インタフェースがＯＡＭ端点設定情報若しくはＯＡＭ中間点設定情報のいずれにも対応付けられず、且つ通信インタフェースがＯＡＭ端の通信経路上にあるとき、中間点設定手段１１０は、通信インタフェース（例えば、通信インタフェース１３０）をＯＡＭ中間点設定情報に対応付ける（つまり、ＯＡＭ中間点として設定する）。
【００５１】
通信装置１００は、ＯＡＭ中間点設定情報に含まれるＯＡＭグループ識別情報に対応するＯＡＭグループに関し、ＯＡＭ中間点として設定された通信インタフェース（例えば、通信インタフェース１３０）をＯＡＭ中間点として動作させる。
【００５２】
図２は、本実施形態における通信装置のハードウェア構成の一例を示すブロック図である。
【００５３】
通信装置１１は、記憶装置１２と、ＣＰＵ（Central Processing Unit）１３と、キーボード１４と、モニタ１５と、Ｉ／Ｏ（Input/Output）１８とを備え、これらが内部バス１６で接続されている。記憶装置１２は、中間点設定手段１１０等のＣＰＵ１３の動作プログラムを格納する。ＣＰＵ１３は、通信装置１１全体を制御し、記憶装置１２に格納された動作プログラムを実行し、Ｉ／Ｏ１８を介して中間点設定手段１１０等のプログラムの実行やデータの送受信を行なう。なお、上記の通信装置１１の内部構成は一例である。通信装置１１は、ＣＰＵ１３、記憶装置１２、及びＩ／Ｏ１８のみを備え、外部に備えられた、キーボード１４、及びモニタ１５を用いて動作してもよい。
【００５４】
次に、本実施形態の動作を説明する。
【００５５】
図３は、本実施形態における通信装置１００の中間点設定手段１１０の動作を示すフローチャートである。本フローチャートは、特定の通信インタフェース（例えば、通信インタフェース１３０）に対する中間点設定手段１１０の動作を示す。
【００５６】
中間点設定手段１１０は、新たなＯＡＭグループ識別情報の発生を監視する（ステップＳ１１０）。
【００５７】
中間点設定手段１１０は、新たに発生したことが検出されたＯＡＭグループ識別情報に関し、対応するＯＡＭグループのＯＡＭ設定情報を参照して、特定の通信インタフェース（例えば、通信インタフェース１３０）がＯＡＭ端点設定情報又はＯＡＭ中間点設定情報のいずれかに対応付けられるか否かを判定する（ステップＳ１２０）。上述のように、ＯＡＭ設定情報には、ＯＡＭ端点設定情報又はＯＡＭ中間点設定情報が含まれるか、又はＯＡＭ端点設定情報及びＯＡＭ中間点設定情報のいずれも含まれないか、のいずれかである。
【００５８】
通信インタフェースがＯＡＭ端点設定情報又はＯＡＭ中間点設定情報のいずれかに対応付けられる場合（ステップＳ１２０：Ｎｏ）、中間点設定手段１１０は、ステップＳ１１０の処理へ戻る。
【００５９】
通信インタフェースがＯＡＭ端点設定情報及びＯＡＭ中間点設定情報のいずれにも対応付けられない場合（ステップＳ１２０：Ｙｅｓ）、中間点設定手段１１０は、自身が保持している接続関係を参照して、通信インタフェース（例えば、通信インタフェース１３０）がＯＡＭ端点（例えば、通信インタフェース２２０及び通信装置１００が有する別の通信インタフェース（図示されない））の通信経路上にあるか否かを判定する（ステップＳ１４０）。
【００６０】
通信インタフェースが通信経路上にない場合（ステップＳ１４０：Ｎｏ）、中間点設定手段１１０は、ステップＳ１１０の処理へ戻る。
【００６１】
通信インタフェースが通信経路上にある場合（ステップＳ１４０：Ｙｅｓ）、中間点設定手段１１０は、通信インタフェース（例えば、通信インタフェース１３０）をＯＡＭ中間点設定情報に対応付け（つまり、ＯＡＭ中間点として設定し）（ステップＳ１５０）、ステップＳ１１０の処理へ戻る。
【００６２】
次に、本実施形態の処理手順の具体例を説明する。
【００６３】
まず、本実施形態の処理手順の具体例を説明するにあたっての前提について説明する。
【００６４】
本具体例では、Ｅｔｈｅｒｎｅｔ−ＯＡＭによるＯＡＭサービスが提供される場合について、通信インタフェース１３０に対する処理を説明する。
【００６５】
この場合、ＯＡＭグループはＭＥＧであり、ＯＡＭグループ識別情報はＭＥＧレベルであり、ＯＡＭ端点はＭＥＰであり、ＯＡＭ中間点はＭＩＰである。
【００６６】
尚、監視されるＯＡＭグループ識別情報は、通信装置１００に含まれる通信装置１３０とは別の通信インタフェース（図示されない）に関するＯＡＭ設定情報（ＭＥＰ設定情報）に含まれるＭＥＧレベルであるものとする。
【００６７】
通信インタフェース２２０は、ＭＥＧレベルが“１”であるＭＥＧのＭＥＰである。
【００６８】
別の通信インタフェースは、最初はＭＥＧレベルが“１”であるＭＥＧのＭＥＰ又はＭＩＰのいずれとしても設定されないが、後にＭＥＧレベルが“１”であるＭＥＧのＭＥＰとして設定される。
【００６９】
通信インタフェース１３０は、最初はＭＥＧレベルが“１”であるＭＥＧのＭＥＰ又はＭＩＰのいずれとしても設定されない。
【００７０】
以上が、前提についての説明である。
【００７１】
図４は、本実施形態における通信装置１００の処理手順の具体例を説明するためのシーケンス図である。図４では、通信インタフェース１３０はＯＡＭ中間点（ＭＩＰ）として設定され、ＯＡＭ中間点（ＭＩＰ）として動作させられる。
【００７２】
中間点設定手段１１０は、新たなＯＡＭグループ識別情報（別の通信インタフェースに関するＯＡＭ設定情報（ＭＥＰ設定情報）に含まれるＭＥＧレベル）の発生を監視し（ステップＳ１１０）、新たなＯＡＭグループ識別情報が設定されたことを検知する（ステップＳ２１０）。
【００７３】
中間点設定手段１１０は、新たな発生が検知されたＯＡＭグループ識別情報（ＭＥＧレベル）に関し、ＯＡＭ設定情報（ＭＥＰ設定情報）を参照して、通信インタフェース１３０がＯＡＭ端点設定情報若しくはＯＡＭ中間点設定情報のいずれかに対応付けられるか否かを判定する（ステップＳ１２０）。
【００７４】
ここでは、通信インタフェース１３０がＯＡＭ端点設定情報及びＯＡＭ中間点設定情報のいずれにも対応付けられないという前提なので（ステップＳ１２０：Ｙｅｓ）、中間点設定手段１１０は、自身が保持する接続関係を参照して、通信インタフェース１３０がＯＡＭ端点である通信インタフェース２２０と別の通信インタフェース（図示されない）との間の通信経路上にあるか否かを判定する（ステップＳ１４０）。
【００７５】
中間点設定手段１１０は、通信装置１００が有するＭＡＣアドレステーブル等が保持する接続関係に基づいて、通信インタフェース２２０及び別の通信インタフェース（図示されない）が、通信インタフェース１３０を介して接続されていることを保持する。
【００７６】
通信インタフェース１３０がＯＡＭ端点である通信インタフェース２２０と別の通信インタフェース（図示されない）との間の通信経路上にあるので（ステップＳ１４０：Ｙｅｓ）、中間点設定手段１１０は、通信インタフェース１３０をＯＡＭ中間点設定情報に対応付ける（つまり、ＯＡＭ中間点として設定する）（ステップＳ１５０、Ｓ２２０）。
【００７７】
通信装置１００は、ＯＡＭ中間点設定情報に含まれるＯＡＭグループ識別情報（ＭＥＧレベル）に対応するＯＡＭグループに関し、ＯＡＭ中間点として設定された通信インタフェース１３０をＯＡＭ中間点（ＭＩＰ）として動作させる（ステップＳ２３０）。
【００７８】
以上説明したように、本実施形態における通信装置１００では、中間点設定手段１１０は、ＯＡＭ端点（ＭＥＰ）である通信インタフェース２２０と別の通信インタフェース（図示されない）との間の経路上にある通信インタフェース１３０を、ＯＡＭ中間点（ＭＩＰ）として設定する。従って、本実施形態における通信装置１００は、ＯＡＭサービスが提供される通信インタフェースのグループにおいて中間点として動作する通信インタフェースの設定における保守性を向上できる。
（第２の実施形態）
次に、第２の実施形態として、通信装置は４つの通信インタフェースを有し、Ｅｔｈｅｒｎｅｔ−ＯＡＭにおけるＯＡＭサービスが提供されるネットワークに本発明を適用した場合の実施形態について説明する。本実施形態では、ＭＥＰ設定情報に含まれる新たなＭＥＧレベルの追加が監視され、通信装置はＭＩＰとして動作するように設定される。
【００７９】
本実施形態の説明においては、第１の実施形態と本実施形態とで共通する説明は省略し、第１の実施形態に対する本実施形態の相違点のみについて説明する。
【００８０】
図５は、本実施形態における通信装置１０４の構成の一例を示すブロック図である。
【００８１】
本実施形態における通信装置１０４は、第１の実施形態における通信装置１００の構成に加え、スイッチ１９０、及びスイッチ１９０に接続された通信インタフェース１３５、１２５、ＭＩＰ処理手段１６４を更に含む。
【００８２】
通信装置１０４の通信インタフェース１３０、１３５は、それぞれ、通信回線９２０、９２５を介して、通信装置２０５の通信インタフェース２２０、２２５に接続される。尚、通信インタフェース１３５の接続先は、必ずしも通信装置２０５である必要はない。通信インタフェース１３５の接続先は、別の通信装置でもよい。
【００８３】
通信装置１０４の通信インタフェース１２０、１２５は、それぞれ、通信回線９１０、９１５を介して、通信装置３０５の通信インタフェース３２０、３２５に接続される。尚、通信インタフェース１２５の接続先は、必ずしも通信装置３０５である必要はない。通信インタフェース１２５の接続先は、別の通信装置でもよい。
【００８４】
スイッチ１９０は、例えば、レイヤ２スイッチ、又はレイヤ３スイッチである。レイヤ２スイッチは、ＯＳＩ（Open Systems Interconnection）参照モデルにおけるデータリンク層（レイヤ２）データの転送処理を主な機能とする。レイヤ３スイッチは、レイヤ２スイッチの機能を含み、更にＯＳＩ参照モデルにおけるネットワーク層（レイヤ３）データの転送処理を主な機能とする。スイッチ１９０は、通信インタフェース１２０、１３０毎に接続先の通信インタフェースを識別する情報（接続先情報）を保持（例えば、ＭＡＣアドレステーブルとして保持）し、フレーム等の交換を行う。例えば、スイッチ１９０は、通信インタフェース１３０に対応付けて、接続先である通信インタフェース２２０の識別情報（例えば、ＭＡＣアドレス）を保持する。スイッチ１９０は、更に、中間点設定手段１１４、中間点処理手段１６４、通信インタフェース１２０、１３０等の間で、指示等（指示や指示に対する応答）又はデータ（送受信フレーム等）の交換を行う。
【００８５】
ＭＩＰ処理手段１６４は、ＭＩＰ設定情報に含まれるＯＡＭグループ識別情報（ＭＥＧレベル）に対応するＯＡＭグループ（ＭＥＧ）に関し、ＯＡＭ中間点（ＭＩＰ）として設定された通信インタフェース（例えば、通信インタフェース１３０）をＯＡＭ中間点（ＭＩＰ）として動作させる。
【００８６】
通信装置１０４の、中間点設定手段であるＭＩＰ設定手段１１４は、第１の実施形態における通信装置１００の中間点設定手段１１０と動作が異なる。
【００８７】
中間点設定手段１１４は、通信インタフェース１２０、１２５、１３０、１３５毎の接続先情報をスイッチ１９０から取得する。接続先情報は、例えば、通信インタフェース２２０が通信インタフェース１３０の接続先であることである。中間点設定手段１１４は、取得した接続先情報に基づいて、通信インタフェース１２０、１２５、１３０、１３５、２２０間の接続関係を保持する。中間点設定手段１１４は、例えば、通信インタフェース１２０と通信インタフェース２２０が、通信インタフェース１３０を介して接続されていることを保持する。なぜなら、例えば、通信インタフェース２２０は通信インタフェース１３０に直接接続され、通信インタフェース１３０は通信インタフェース１２０にスイッチ１９０を介して接続されるからである。
【００８８】
通信装置１０４のその他の構成は、第１の実施形態における通信装置１００の構成と同じである。
【００８９】
次に、本実施形態の動作を説明する。
【００９０】
図６は、本実施形態における通信装置１０４のＭＩＰ設定手段１１４の動作を示すフローチャートである。本フローチャートは、特定の通信インタフェース（例えば、通信インタフェース１３０）に対するＭＩＰ設定手段１１４の動作を示す。
【００９１】
ＭＩＰ設定手段１１４は、他の通信インタフェース（例えば、通信インタフェース１２０、１２５、１３５）に関するＭＥＰ設定の追加を監視する（ステップＳ３１０）。
【００９２】
ＭＩＰ設定手段１１４は、ＭＥＰ設定の追加が検出されたＭＥＧレベルに関し、対応するＭＥＧのＭＥＰ設定情報を参照して、特定の通信インタフェース（例えば、通信インタフェース１３０）がＭＥＰ設定情報又はＭＩＰ設定情報のいずれかに対応付けられるか否かを判定する（ステップＳ３２０）。
【００９３】
通信インタフェースがＭＥＰ設定情報又はＭＩＰ設定情報のいずれかに対応付けられる場合（ステップＳ３２０：Ｎｏ）、ＭＩＰ設定手段１１４は、ステップＳ３１０の処理へ戻る。
【００９４】
通信インタフェースがＭＥＰ設定情報及びＭＩＰ設定情報のいずれにも対応付けられない場合（ステップＳ３２０：Ｙｅｓ）、ＭＩＰ設定手段１１４は、通信インタフェース（例えば、通信インタフェース１３０）のＶＬＡＮ  ＩＤ、及びＭＥＰ設定の追加が検出された通信インタフェース（例えば、通信インタフェース１２０）のＶＬＡＮ  ＩＤを取得する（ステップＳ３３０）。
【００９５】
続いて、ＭＩＰ設定手段１１４は、取得したＶＬＡＮ  ＩＤを参照して、通信インタフェース（例えば、通信インタフェース１３０）のＶＬＡＮ  ＩＤとＭＥＰ設定の追加が検出された通信インタフェース（例えば、通信インタフェース１２０）のＶＬＡＮ  ＩＤとが一致するか否かを判定する（ステップＳ３４０）。
【００９６】
ＶＬＡＮ  ＩＤが一致しない場合（ステップＳ３４０：Ｎｏ）、ＭＩＰ設定手段１１４は、ステップＳ３１０の処理へ戻る。
【００９７】
ＶＬＡＮ  ＩＤが一致する場合（ステップＳ３４０：Ｙｅｓ）、ＭＩＰ設定手段１１４は、通信インタフェース（例えば、通信インタフェース１３０）をＭＩＰ設定情報に対応付け（つまり、ＭＩＰとして設定し）（ステップＳ３５０）、ステップＳ３１０の処理へ戻る。
【００９８】
次に、本実施形態の処理手順の具体例を説明する。
【００９９】
まず、本実施形態の処理手順の具体例を説明するにあたっての前提について説明する。
【０１００】
本具体例では、通信インタフェース１３０に対する処理を説明する。
【０１０１】
監視されるＭＥＧレベルは、通信インタフェース１２０、１２５、１３５に関するＯＡＭ設定情報に含まれるＭＥＧレベルである。
【０１０２】
通信インタフェース２２０は、ＶＬＡＮ  ＩＤ“１００”を有し、ＭＥＧレベルが“１”であるＭＥＧのＭＥＰである。
【０１０３】
通信インタフェース１２０は、ＶＬＡＮ  ＩＤ“１００”を有し、最初はＭＥＧレベルが“１”であるＭＥＧのＭＥＰ及びＭＩＰのいずれとしても設定されないが、後にＭＥＧレベルが“１”であるＭＥＧのＭＥＰとして設定される。
【０１０４】
通信インタフェース１３０は、ＶＬＡＮ  ＩＤ“１００”を有し、最初はＭＥＧレベルが“１”であるＭＥＧのＭＥＰ及びＭＩＰのいずれとしても設定されない。
【０１０５】
通信インタフェース１２５、１３５は、ＶＬＡＮ  ＩＤ“２００”を有する。
【０１０６】
以上が、前提についての説明である。
【０１０７】
図７は、本実施形態における通信装置１０４の処理手順の具体例を説明するためのシーケンス図である。図７では、通信インタフェース１３０はＭＩＰとして設定され、ＭＩＰとして動作させられる。
【０１０８】
ＭＩＰ設定手段１１４は、他の通信インタフェース１２０、１２５、１３５に関するＭＥＰ設定の追加を監視し（ステップＳ３１０）、通信インタフェース１２０に関するＭＥＰ設定の追加を検知する（ステップＳ４１０）。
【０１０９】
ＭＩＰ設定手段１１４は、ＭＥＰ設定の追加が検知されたＭＥＧレベルに関し、ＯＡＭ設定情報を参照して、通信インタフェース１３０がＭＥＰ設定情報又はＭＩＰ設定情報のいずれかに対応付けられるか否かを判定する（ステップＳ３２０）。
【０１１０】
ここでは、通信インタフェース１３０がＭＥＰ設定情報及びＭＩＰ設定情報のいずれにも対応付けられないという前提なので（ステップＳ３２０：Ｙｅｓ）、ＭＩＰ設定手段１１４は、通信インタフェース１３０のＶＬＡＮ  ＩＤ、及びＭＥＰ設定の追加が検出された通信インタフェース１２０のＶＬＡＮ  ＩＤを取得する（ステップＳ３３０）。
【０１１１】
ＭＩＰ設定手段１１４は、スイッチ１９０が有するＭＡＣアドレステーブルが保持するＶＬＡＮ  ＩＤに基づいて、通信インタフェース１２０、１３０、１２５、１３５のＶＡＬＮ  ＩＤを保持する。
【０１１２】
続いて、ＭＩＰ設定手段１１４は、取得したＶＬＡＮ  ＩＤを参照して、通信インタフェース１３０のＶＬＡＮ  ＩＤとＭＥＰ設定の追加が検出された通信インタフェース１２０のＶＬＡＮ  ＩＤとが一致するか否かを判定する（ステップＳ３４０）。
【０１１３】
通信インタフェース１３０、１２０のＶＬＡＮ  ＩＤは、共に“１００”であり、一致するので（ステップＳ３４０：Ｙｅｓ）、ＭＩＰ設定手段１１４は、通信インタフェース１３０をＭＩＰ設定情報に対応付ける（つまり、ＭＩＰとして設定する）（ステップＳ３５０、Ｓ４２０）。
【０１１４】
ＭＩＰ処理手段１６４は、ＭＩＰ設定情報に含まれるＭＥＧレベルに対応するＯＡＭグループに関し、ＭＩＰとして設定された通信インタフェース１３０をＭＩＰとして動作させる（ステップＳ４３０―Ｓ４５０）。具体的には、ＭＩＰ処理手段１６４は、例えば、以下のように通信インタフェース１３０をＭＩＰとして動作させる。
【０１１５】
まず、通信装置２０５のＭＥＰである通信インタフェース２２０は、ＴＴＬに“２”を設定して、ＬＴＭを送信する（ステップＳ４３０）。
【０１１６】
次に、通信インタフェース１３０は、受信したＬＴＭに含まれるＭＥＧレベルと、自身のＭＩＰ設定情報に含まれるＭＥＧレベルとが一致するので、受信したＬＴＭに対する応答としてＬＴＲを送信する（ステップＳ４４０）。
【０１１７】
続いて、通信インタフェース１３０は、受信したＬＴＭに含まれるＴＴＬの値から“１”を減じた“１”をＴＴＬに設定して、受信したＬＴＭを転送する（ステップＳ４５０）。
【０１１８】
以上説明したように、本実施形態における通信装置１０４では、ＭＩＰ設定手段１１４は、ＭＥＰである通信インタフェース１２０と同じＶＬＡＮ  ＩＤを有する通信インタフェース１３０を、ＭＩＰとして設定する。従って、本実施形態における通信装置１０４は、ＯＡＭサービスが提供される通信インタフェースのグループにおいて中間点として動作する通信インタフェースの設定における保守性を向上できる。
（第３の実施形態）
次に、第３の実施形態として、２つの通信インタフェースを有する２台の通信装置間が別の２台の通信装置を経由して接続され、経由される通信装置は４つの通信インタフェースを有し、Ｅｔｈｅｒｎｅｔ−ＯＡＭにおけるＯＡＭサービスが提供されるネットワークに本発明を適用した場合の実施形態について説明する。本実施形態では、新たなＭＥＧレベルを含むＯＡＭフレームの受信が監視され、経由される通信装置はＭＩＰとして動作するように設定される。
【０１１９】
本実施形態の説明においては、第２の実施形態と本実施形態とで共通する説明は省略し、第２の実施形態に対する本実施形態の相違点のみについて説明する。
【０１２０】
図８は、本実施形態における通信装置１０５の構成の一例を示すブロック図である。
【０１２１】
本実施形態における通信装置１０５のＭＩＰ設定手段１１５、ＭＩＰ処理手段１６５は、それぞれ、第２の実施形態における通信装置１０４のＭＩＰ設定手段１１４、ＭＩＰ処理手段１６４と動作が異なる。本実施形態における通信装置４０５のＭＩＰ設定手段４１５、ＭＩＰ処理手段４６５は、それぞれ、第２の実施形態における通信装置１０４のＭＩＰ設定手段１１４、ＭＩＰ処理手段１６４と動作が異なる。
【０１２２】
本実施形態における通信装置１０５は、通信装置４０５を介して、通信装置３０５に接続される。
【０１２３】
本実施形態における通信装置１０５、４０５のその他の構成は、第２の実施形態における通信装置１０４の構成と同じである。
【０１２４】
次に、本実施形態の動作を説明する。
【０１２５】
図９は、本実施形態における通信装置１０５のＭＩＰ設定手段１１５の動作を示すフローチャートである。本フローチャートは、特定の通信インタフェース（例えば、通信インタフェース１３０）に対するＭＩＰ設定手段１１５の動作を示す。
【０１２６】
ＭＩＰ設定手段１１５は、特定の通信インタフェース（例えば、通信インタフェース１３０）におけるＯＡＭ応答フレームの受信を監視する（ステップＳ５１０）。
【０１２７】
ＭＩＰ設定手段１１５は、受信したＯＡＭ応答フレームに含まれるＭＥＧレベルに関し、対応するＭＥＧのＭＥＰ設定情報を参照して、特定の通信インタフェース（例えば、通信インタフェース１３０）がＭＥＰ設定情報又はＭＩＰ設定情報のいずれかに対応付けられるか否かを判定する（ステップＳ５２０）。
【０１２８】
通信インタフェースがＭＥＰ設定情報又はＭＩＰ設定情報のいずれかに対応付けられる場合（ステップＳ５２０：Ｎｏ）、ＭＩＰ設定手段１１５は、ステップＳ５１０の処理へ戻る。
【０１２９】
通信インタフェースがＭＥＰ設定情報及びＭＩＰ設定情報のいずれにも対応付けられない場合（ステップＳ５２０：Ｙｅｓ）、ＭＩＰ設定手段１１５は、通信インタフェース（例えば、通信インタフェース１３０）をＭＩＰ設定情報に対応付け（つまり、ＭＩＰとして設定し）（ステップＳ５５０）、ステップＳ５１０の処理へ戻る。
【０１３０】
次に、本実施形態の処理手順の具体例を説明する。
【０１３１】
まず、本実施形態の処理手順の具体例を説明するにあたっての前提について説明する。
【０１３２】
本具体例では、通信インタフェース１３０に対する処理を説明する。
【０１３３】
監視されるＭＥＧレベルは、通信インタフェース１３０において受信されるＯＡＭ応答フレームに含まれるＭＥＧレベルである。
【０１３４】
通信インタフェース２２０、４２０は、ＭＥＧレベルが“１”であるＭＥＧのＭＥＰである。
【０１３５】
通信インタフェース４３０は、ＭＥＧレベルが“１”であるＭＥＧのＭＩＰである。
【０１３６】
通信インタフェース１２０、１３０は、最初はＭＥＧレベルが“１”であるＭＥＧのＭＥＰ又はＭＩＰのいずれとしても設定されない。
【０１３７】
通信インタフェース２２０は、ＯＡＭフレームであるＬＢＭを通信インタフェース４２０へ送信する。
【０１３８】
通信インタフェース４２０は、受信したＬＢＭに対する応答として、ＯＡＭ応答フレームであるＬＢＲを通信インタフェース２２０へ送信する。
【０１３９】
以上が、前提についての説明である。
【０１４０】
図１０は、本実施形態における通信装置１０５の処理手順の具体例を説明するためのシーケンス図である。図１０では、通信インタフェース１２０、１３０はＭＩＰとして設定され、ＭＩＰとして動作させられる。
【０１４１】
通信インタフェース２２０は、ＬＢＭを通信インタフェース４２０へ送信する（ステップＳ６１０）。
【０１４２】
通信インタフェース４２０は、受信したＬＢＭに対する応答として、ＯＡＭ応答フレームであるＬＢＲを通信インタフェース２２０へ送信する（ステップＳ６２０）。
【０１４３】
ＭＩＰ設定手段１１５は、通信インタフェース１２０におけるＯＡＭ応答フレームの受信を監視し（ステップＳ５１０）、通信インタフェース１２０におけるＬＢＲの受信を検知する（ステップＳ６２５）。
【０１４４】
ＭＩＰ設定手段１１５は、受信したＬＢＲに含まれるＭＥＧレベルに関し、ＯＡＭ設定情報を参照して、通信インタフェース１２０がＭＥＰ設定情報又はＭＩＰ設定情報のいずれかに対応付けられるか否かを判定する（ステップＳ５２０）。
【０１４５】
ここでは、通信インタフェース１２０がＭＥＰ設定情報及びＭＩＰ設定情報のいずれにも対応付けられないという前提なので（ステップＳ５２０：Ｙｅｓ）、ＭＩＰ設定手段１１５は、通信インタフェース１２０をＭＩＰ設定情報に対応付ける（つまり、ＭＩＰとして設定する）（ステップＳ５５０、Ｓ６３０）。
【０１４６】
以降、ＭＩＰ処理手段１６５は、ＭＩＰ設定情報に含まれるＭＥＧレベルに対応するＯＡＭグループに関し、ＭＩＰとして設定された通信インタフェース１２０をＭＩＰとして動作させる。
【０１４７】
通信インタフェース１２０は、受信したＬＢＲを転送する（ステップＳ６４０）。
【０１４８】
ＭＩＰ設定手段１１５は、通信インタフェース１３０におけるＯＡＭ応答フレームの受信を監視し（ステップＳ５１０）、通信インタフェース１３０におけるＬＢＲの受信を検知する（ステップＳ６４５）。
【０１４９】
ＭＩＰ設定手段１１５は、受信したＬＢＲに含まれるＭＥＧレベルに関し、ＯＡＭ設定情報を参照して、通信インタフェース１３０がＭＥＰ設定情報又はＭＩＰ設定情報のいずれかに対応付けられるか否かを判定する（ステップＳ５２０）。
【０１５０】
ここでは、通信インタフェース１３０がＭＥＰ設定情報及びＭＩＰ設定情報のいずれにも対応付けられないという前提なので（ステップＳ５２０：Ｙｅｓ）、ＭＩＰ設定手段１１５は、通信インタフェース１３０をＭＩＰ設定情報に対応付ける（つまり、ＭＩＰとして設定する）（ステップＳ５５０、Ｓ６５０）。
【０１５１】
以降、ＭＩＰ処理手段１６５は、ＭＩＰ設定情報に含まれるＭＥＧレベルに対応するＯＡＭグループに関し、ＭＩＰとして設定された通信インタフェース１３０をＭＩＰとして動作させる。
【０１５２】
通信インタフェース１３０は、受信したＬＢＲを転送する（ステップＳ６６０）。
【０１５３】
ＭＩＰ処理手段１６５は、例えば、以下のように通信インタフェース１２０、１３０をＭＩＰとして動作させる。
【０１５４】
まず、通信装置２０５のＭＥＰである通信インタフェース２２０は、ＴＴＬに“３”を設定して、ＬＴＭを送信する（ステップＳ６７０）。
【０１５５】
次に、通信インタフェース１３０は、受信したＬＴＭに含まれるＭＥＧレベルと、自身のＭＩＰ設定情報に含まれるＭＥＧレベルとが一致するので、受信したＬＴＭに対する応答としてＬＴＲを送信する（ステップＳ６８０）。
【０１５６】
続いて、通信インタフェース１３０は、受信したＬＴＭに含まれるＴＴＬの値から“１”を減じた“２”をＴＴＬに設定して、受信したＬＴＭを転送する（ステップＳ６８５）。
【０１５７】
続いて、通信インタフェース１２０は、受信したＬＴＭに含まれるＭＥＧレベルと、自身のＭＩＰ設定情報に含まれるＭＥＧレベルとが一致するので、受信したＬＴＭに対する応答としてＬＴＲを送信する（ステップＳ６９０）。
【０１５８】
続いて、通信インタフェース１２０は、受信したＬＴＭに含まれるＴＴＬの値から“１”を減じた“１”をＴＴＬに設定して、受信したＬＴＭを転送する（ステップＳ６９５）。
【０１５９】
以上説明したように、本実施形態における通信装置１０５では、ＭＩＰ設定手段１１５は、ＭＥＰである通信インタフェース４２０、２２０間の経路上にある通信インタフェース１２０、１３０を、ＭＩＰとして設定する。従って、本実施形態における通信装置１０５は、ＯＡＭサービスが提供される通信インタフェースのグループにおいて中間点として動作する通信インタフェースの設定における保守性を向上できる。
【０１６０】
尚、本動作例では、通信インタフェース４３０が予めＭＩＰとして設定され、且つ通信インタフェース４２０が予めＭＥＰとして設定されている場合について説明した。しかしながら、本実施形態における通信インタフェース４３０は、必ずしも予めＭＩＰとして設定されている必要はない。又、本実施形態における通信インタフェース４２０は、必ずしも予めＭＥＰとして設定されている必要はない。なぜなら、通信インタフェース３２０が予めＭＥＰとして設定されていれば、本動作例における通信インタフェース１２０、１３０と同様に、通信インタフェース４２０、４３０はＭＩＰとして設定されるからである。従って、２台以上の通信装置が接続されても、本実施形態における通信装置１０５は、ＯＡＭサービスが提供される通信インタフェースのグループにおいて中間点として動作する通信インタフェースの設定における保守性を向上できる。
（第４の実施形態）
次に、第４の実施形態として、２台の通信装置間が別の１台の通信装置を経由して接続され、経由される通信装置は２つの通信インタフェースを有し、Ｅｔｈｅｒｎｅｔ−ＯＡＭにおけるＯＡＭサービスが提供されるネットワークに本発明を適用した場合の実施形態について説明する。本実施形態では、ＭＥＰ設定情報に含まれる新たなＭＥＧレベルの追加がＮＭＳにより集中監視され、経由される通信装置はＭＩＰとして動作するように設定される。
【０１６１】
本実施形態の説明においては、第２の実施形態と本実施形態とで共通する説明は省略し、第２の実施形態に対する本実施形態の相違点のみについて説明する。
【０１６２】
図１１は、本実施形態における通信装置１０７の構成の一例を示すブロック図である。
【０１６３】
説明を単純化するために、本実施形態における通信装置１０７は、第２の実施形態における通信インタフェース１３５、１２５、２２５、３２５に対応する通信インタフェースを含まないが、含んでもよい。又、説明を単純化するために、本実施形態における１台の通信装置１０７が通信装置２０７と通信装置３０７との間に接続されるが、２台以上の通信装置１０７が通信装置２０７と通信装置３０７との間に接続されてもよい。
【０１６４】
通信装置１０７は、通信回線７１０を介して、ＮＭＳ（Network Management System）８００に接続される。
【０１６５】
ＮＭＳ８００は、コンピュータ等の通信機器で、通信回線を介して接続された通信機器を集中的に監視する。ＮＭＳ８００は、通信装置１０７以外の通信装置に接続されてもよい。つまり、例えば、通信装置２０７、３０７は、通信装置１０７と同じ機能を有する通信装置であってもよい。
【０１６６】
ＮＭＳ８００は、第２の実施形態におけるＭＩＰ設定手段１１４に対応するＭＩＰ設定手段８１０を含む。
【０１６７】
通信装置１０７のその他の構成は、第２の実施形態における通信装置１０４の構成と同じである。
【０１６８】
次に、本実施形態の動作を説明する。
【０１６９】
本実施形態におけるＭＩＰ設定手段８１０は、通信回線を介して接続された通信装置１０７内において、通信インタフェースに関するＭＥＰ設定の追加を監視する。更に、ＭＩＰ設定手段８１０は、通信回線７１０を介して、ＭＩＰ処理手段１６７、通信インタフェース１２０、１３０、スイッチ１９０等との間で、指示等又はデータの交換を行う。尚、ＭＩＰ設定手段８１０は、通信回線を介して複数の通信装置に接続され、複数の通信装置の通信インタフェースに関するＭＥＰ設定の追加を監視してもよい。
【０１７０】
通信装置１０７は、第２の実施形態におけるＭＩＰ設定手段１１４に対応するＭＩＰ設定手段を含まない。通信装置１０７は、通信回線７１０を介して、ＭＩＰ設定手段８１０との間で、指示等又はデータの交換を行う。
【０１７１】
本実施形態における通信装置１０７とＮＭＳ８００のＭＩＰ設定手段８１０との組が提供する機能は、第２の実施形態における通信装置１０４が提供する機能を含む。つまり、ＮＭＳ８００のＭＩＰ設定手段８１０に接続された通信装置１０７は、第２の実施形態における通信装置１０４と同様に動作する。
【０１７２】
従って、本実施形態における、ＮＭＳ８００のＭＩＰ設定手段８１０に接続された通信装置１０７は、ＯＡＭサービスが提供される通信インタフェースのグループにおいて中間点として動作する通信インタフェースの設定における保守性を向上できる。
（第５の実施形態）
次に、第５の実施形態として、２台の通信装置間が別の２台の冗長な通信装置を経由して接続され、経由される通信装置は２つの通信インタフェースを有し、Ｅｔｈｅｒｎｅｔ−ＯＡＭにおけるＯＡＭサービスが提供されるネットワークに本発明を適用した場合の実施形態について説明する。本実施形態では、ＭＥＰ設定情報に含まれる新たなＭＥＧレベルの追加がＮＭＳにより集中され、経由される通信装置はＭＩＰとして動作するように設定される。
【０１７３】
本実施形態の説明においては、第４の実施形態と本実施形態とで共通する説明は省略し、第４の実施形態に対する本実施形態の相違点のみについて説明する。
【０１７４】
図１２は、本実施形態における通信装置１０７の構成の一例を示すブロック図である。
【０１７５】
本実施形態における通信装置１０７、４０７の構成は、第４の実施形態における通信装置１０７の構成と同じである。
【０１７６】
本実施形態における通信装置２０８、３０８の構成は、それぞれ、第４の実施形態における通信装置２０７、３０７の構成に、通信インタフェース２２５、３２５が追加される。
【０１７７】
本実施形態における通信装置４０７は、通信装置２０８の通信インタフェース２２５と通信装置３０８の通信インタフェース３２５との間に接続される。
【０１７８】
次に、本実施形態の動作を説明する。
【０１７９】
通信装置１０７及び通信装置４０７は、通信装置２０８と通信装置３０８との間の通信経路に関し、冗長系を構成する。つまり、通信装置２０８及び通信装置３０８は、通信装置１０７又は通信装置４０７のいずれか一方（現用系）を経由する通信経路を介して、通信を行う。通信装置１０７又は通信装置４０７の現用系でない一方（待機系）は、通信装置２０８と通信装置３０８との間の通信を中継せず、系切り替えにより新たな現用系として動作するように備える。系切り替えにより待機系から現用系に状態変化した通信装置では、ＯＡＭ設定情報はＭＩＰ設定情報を含まない。例えば、待機系から現用系への系切り替えがされる際に、通信装置のＯＡＭ設定情報はＭＩＰ設定情報を含まないように初期化される。
【０１８０】
実際に通信に利用される現用系の通信装置に注目すれば、本実施形態の通信装置の構成は、第４の実施形態における通信装置１０７の構成と同じである。つまり、系切り替えの動作を除き、本実施形態の通信装置の動作は、第４の実施形態における通信装置１０７の動作と同じである。
【０１８１】
従って、本実施形態における、ＮＭＳ８００のＭＩＰ設定手段８１０に接続された、通信装置１０７又は通信装置４０７は、ＯＡＭサービスが提供される通信インタフェースのグループにおいて中間点として動作する通信インタフェースの設定における保守性を向上できる。
【０１８２】
尚、図３、６、９の通信装置の各処理は、ソフトウェアによって実行されてもよい。すなわち、各処理を行うためのコンピュータプログラムが、通信装置が備えるＣＰＵ（図２：１３）によって読み込まれ、実行されてもよい。プログラムを用いて各処理を行っても、上述の実施形態の処理と同内容の処理を行うことができる。そして、上記のプログラムは、ＲＯＭ（Read Only Memory）、ＲＡＭ（Random Access Memory）、フラッシュメモリ等の半導体記憶装置、光ディスク、磁気ディスク、光磁気ディスク等、非一時的な媒体に格納されてもよい。
【０１８３】
あるいは、各処理は、個別の回路等の構成要素によって実行されてもよい。
【０１８４】
尚、本願発明は、上述の実施形態に限定されるものではなく、本願発明の要旨を逸脱しない範囲で種々変更、変形して実施することができる。
【図１】
2015088958.tif 000003
【図２】
2015088958.tif 000004
【図３】
2015088958.tif 000005
【図４】
2015088958.tif 000006
【図５】
2015088958.tif 000007
【図６】
2015088958.tif 000008
【図７】
2015088958.tif 000009
【図８】
2015088958.tif 000010
【図９】
2015088958.tif 000011
【図１０】
2015088958.tif 000012
【図１１】
2015088958.tif 000013
【図１２】
2015088958.tif 000014